(57)【要約】【課題】耐衝撃性が改善されたレンズ鏡枠を提供すること。【解決手段】レンズ鏡枠１は、外周に円周方向に形成された溝を光軸方向に複数並べた形状の第一の溝群４ｆを有した筒状の枠部材であって、弾性変形可能な移動枠４と、移動枠４の外周に遊嵌し、内周に円周方向に形成された溝を上記第一の溝群４ｆに重畳可能なように光軸方向に複数並べた形状の第二の溝群３ｆを有した筒状の枠部材であって、通常動作中には上記第一の溝群４ｆと上記該第二の溝群３ｆとは干渉せず、移動枠４と相対移動可能であって、弾性変形可能な回転枠３とを有し、レンズ鏡枠１に掛かる外力により少なくとも移動枠４と回転枠３の一方が変形して第一の溝群４ｆと第二の溝群３ｆとが干渉し、移動枠４と回転枠３の相対的な光軸方向のズレが防止される。【選択図】図２
2009048117.tif 000002
【特許請求の範囲】
【請求項１】
外周に円周方向に形成された溝を光軸方向に複数並べた形状の第一の溝群を有した筒状の枠部材であって、弾性変形可能な第一の枠部材と、
上記第一の枠部材の外周に遊嵌し、内周に円周方向に形成された溝を上記第一の溝群に重畳可能なように光軸方向に複数並べた形状の第二の溝群を有した筒状の枠部材であって、通常動作中には上記第一の溝群と上記該第二の溝群とは干渉せず、上記第一の枠部材と相対移動可能であって、弾性変形可能な第二の枠部材と、
を有し、レンズ鏡枠に掛かる外力により少なくとも上記第一の枠部材と上記第二の枠部材の一方が変形して上記第一の溝群と第二の溝群とが干渉し、第一の枠部材と第二の枠部材の相対的な光軸方向のズレを防止することを特徴とするレンズ鏡枠。
【請求項２】
外周に円周方向に形成された溝部と突部を交互に光軸方向に複数並べた形状の第一の溝群を有した筒状の枠部材であって、弾性変形可能な第一の枠部材と、
上記第一の枠部材の外周に遊嵌し、内周に円周方向に形成された溝と突部を、上記第一の溝群に重畳可能なように交互に光軸方向に複数並べた形状の第二の溝群を有した筒状の枠部材であって、通常動作中には上記第一の溝群と上記該第二の溝群とは干渉せず上記第一の枠部材と相対移動可能であって、弾性変形可能な第二の枠部材と、
を有し、上記レンズ鏡枠に掛かる外力により少なくとも上記第一の枠部材と上記第二の枠部材の一方が変形し、上記第一の溝群と第二の溝群とが干渉し、第一の枠部材と第二の枠部材の相対的な光軸方向のズレを防止することを特徴とするレンズ鏡枠。
【請求項３】
上記突部は、該突部の先端が尖っていることを特徴とする請求項に２記載のレンズ鏡枠。
【請求項４】
上記第一の溝群と上記第二の溝群は、光軸方向に同一ピッチで形成されていることを特徴とする請求項１、または、２に記載のレンズ鏡枠。
【請求項５】
上記第一の溝群と上記第二の溝群は、光軸方向に互いに異なるピッチで形成されていることを特徴とする請求項１、または、２に記載のレンズ鏡枠。
【発明の詳細な説明】
【技術分野】
【０００１】
本発明は、相対移動可能な枠部材を有するレンズ鏡枠の構造に関する。
【背景技術】
【０００２】
従来のレンズ鏡枠において、円周溝と該円周溝に摺動可能に結合する突起部とからなるバヨネット結合された一対の枠部材として、レンズ鏡枠の固定枠に支持される回転枠と移動枠を備えたものがある。上記回転枠は、レンズ鏡枠の駆動部により回転駆動され、その回転動作に伴ってレンズ光軸方向にも進退移動する。上記移動枠は、上記回転枠に対して上記バヨネット結合されているので、上記固定枠に固定規制された状態で上記回転枠とともにレンズ光軸方向に進退移動する。また、別の例として相対移動する２つの枠に設けられたカム溝とカムフォロアによってレンズ光軸方向に相対移動するものもある。
【発明の開示】
【発明が解決しようとする課題】
【０００３】
近年のカメラの小型化、薄型化の要求からレンズ鏡枠のコンパクト化が求められ、特に沈胴状態におけるレンズ光軸方向の占有寸法をより短縮することが求められている。上述した従来のレンズ鏡枠が落下等による衝撃力を受けた場合、例えば、上記バヨネット結合部の上記突起部と上記円周溝間、カム溝とカムフォロアの間にもその衝撃力が作用し、該結合部が外れたり、破損する可能性がある。耐衝撃性を維持するためには、該バヨネット結合部の上記突起部のレンズ光軸方向の厚みを厚くしたり、カム機構の結合部の係かり量を多くする必要があった。そのことがレンズ鏡枠の薄型化やコンパクト化の１つの支障となっていた。
【０００４】
本発明は、上述の問題を解決するためになされたものであり、耐衝撃性を改善したレンズ鏡枠を提供することを目的とする。
【課題を解決するための手段】
【０００５】
本発明の請求項１記載のレンズ鏡枠は、外周に円周方向に形成された溝を光軸方向に複数並べた形状の第一の溝群を有した筒状の枠部材であって、弾性変形可能な第一の枠部材と、上記第一の枠部材の外周に遊嵌し、内周に円周方向に形成された溝を上記第一の溝群に重畳可能なように光軸方向に複数並べた形状の第二の溝群を有した筒状の枠部材であって、通常動作状態では上記第一の溝群と上記該第二の溝群とは干渉せず、上記第一の枠部材と相対移動可能であって、弾性変形可能な第二の枠部材と、を有し、レンズ鏡枠に掛かる外力により少なくとも上記第一の枠部材と上記第二の枠部材の一方が変形して上記第一の溝群と第二の溝群とが干渉し、第一の枠部材と第二の枠部材の相対的な光軸方向のズレを防止する。
【０００６】
本発明の請求項２に記載のレンズ鏡枠は、外周に円周方向に形成された溝部と突部を交互に光軸方向に複数並べた形状の第一の溝群を有した筒状の枠部材であって、弾性変形可能な第一の枠部材と、上記第一の枠部材の外周に遊嵌し、内周に円周方向に形成された溝と突部を、上記第一の溝群に重畳可能なように交互に光軸方向に複数並べた形状の第二の溝群を有した筒状の枠部材であって、通常動作中には上記第一の溝群と上記該第二の溝群とは干渉せず上記第一の枠部材と相対移動可能であって、弾性変形可能な第二の枠部材と、を有し、上記レンズ鏡枠に掛かる外力により少なくとも上記第一の枠部材と上記第二の枠部材の一方が変形し、上記第一の溝群と第二の溝群とが干渉し、第一の枠部材と第二の枠部材の相対的な光軸方向のズレを防止する。
【０００７】
本発明の請求項３に記載のレンズ鏡枠は、請求項２記載のレンズ鏡枠において、上記突部は、該突部の先端が尖っている。
【０００８】
本発明の請求項４に記載のレンズ鏡枠は、請求項１、または、２に記載のレンズ鏡枠において、上記第一の溝群と上記第二の溝群は、光軸方向に同一ピッチで形成されている。
【０００９】
本発明の請求項５に記載のレンズ鏡枠は、請求項１、または、２に記載のレンズ鏡枠において、上記第一の溝群と上記第二の溝群は、光軸方向に互いに異なるピッチで形成されている。
【発明の効果】
【００１０】
本発明によれば、耐衝撃性が改善されたレンズ鏡枠を提供することができる。
【発明を実施するための最良の形態】
【００１１】
以下、図を用いて本発明の実施形態について説明する。
【００１２】
図１は、本発明の一実施形態のレンズ鏡枠の分解斜視図である。図２は、上記レンズ鏡枠の撮影状態（ワイド状態）における光軸に沿った要部断面図である。図３，４は、上記レンズ鏡枠の回転枠と移動枠の嵌合部分（第一，二の溝群部まわりを含む）の光軸に沿った拡大断面図であって、図３は、通常動作状態における断面を示し、図４は、上記レンズ鏡枠が光軸前方からの衝撃力を受け、移動枠側が変形したときの状態での断面を示す。但し、第一，二の溝群の形状は拡大表示されている。
【００１３】
なお、以下の説明において、上記撮影レンズの光軸をＯで示し、、該レンズ光軸Ｏの被写体側を前方（各鏡枠の繰り出し方向）、結像側を後方（各鏡枠の繰り込み方向）とする。また、各部材の回転方向は、前方側から見た回転方向で示す。
【００１４】
本実施形態のレンズ鏡枠１は、光軸Ｏ方向に鏡枠部材が突出した撮影可能な突出状態（ワイド，テレ間）と上記鏡枠部材が収納された沈胴状態とに切り換え可能な沈胴式レンズ鏡枠である。
【００１５】
レンズ鏡枠１は、図１，２に示すように固定枠２と、固定枠２に支持される鏡枠部材であって、ズーミング時や沈胴駆動時に回転、進退駆動される第二の枠部材である回転枠３と、回転規制状態で回転枠３とともに進退する第一の枠部材である移動枠４と、回転枠３と共に回転し、さらに、進退移動するカム枠５と、回転規制状態でカム枠５とともに進退する直進ガイド枠６と、回転規制状態で回転枠３により進退駆動される三群ユニット１５と、回転規制状態でカム枠５によりそれぞれ進退駆動される二群枠１１および一群枠１２と、フォーカシング時や沈胴駆動時に進退駆動される四群枠１３と、撮影レンズ群として光軸Ｏ前方側から順次配され、一群枠１２、二群枠１１、三群枠１０、四群枠１３にそれぞれ保持される一群レンズ２１と、二群レンズ２２と、三群レンズ２３と、フォーカシングレンズである四群レンズ２４とを有している。なお、上記各枠部材の上記進退駆動方向は、光軸Ｏ方向に沿った方向とする。
【００１６】
固定枠２は、筒状の部材であり、内周部に光軸Ｏに対して傾斜した傾斜カム溝部と円周に沿った円周カム溝部とが連接されてなるカム溝２ａと、光軸Ｏに沿った直進溝２ｂとが設けられている。また、この固定枠２には外周部に撮影レンズのズーミング駆動を行うためのズームモータ、ギヤ列およびロングギヤ１９を含むズーミングユニット１７と、撮影レンズのフォーカシング駆動を行うためのフォーカスモータ、ギヤ列、送りねじおよびガイド軸を含むフォーカシングユニット１８とが配されている。
【００１７】
なお、ロングギヤ１９は、光軸Ｏと平行な方向に沿って固定枠２の内周部に露呈した状態で支持されている。
【００１８】
回転枠３は、固定枠２の内周部に回動進退可能に嵌入する弾性変形可能な筒状の部材であり、外周後方部に固定枠２のカム溝２ａに摺動可能に嵌入するカムフォロア３ａと、ロングギヤ３５と噛合するギヤ部３ｂとが設けられている。内周部には光軸Ｏに方向に対し傾斜した三群用カム溝３ｄと、光軸Ｏ方向に沿ったカム枠用直進溝３ｃと、内周後端部に突部３ｅと、内周面の円周方向に沿った第二の溝群３ｆとが設けられている。
【００１９】
この回転枠３は、カムフォロア３ａが固定枠２のカム溝２ａに摺動可能に嵌入した状態で支持されており、ロングギヤ１９によりギヤ部３ｂを介して回転駆動され、沈胴位置から撮影可能なワイド位置まで繰り出され、その後、テレ位置まで光軸Ｏ方向に進退することなく回転駆動される。
【００２０】
移動枠４は、回転枠３の内周部に遊嵌状態で相対回転可能に嵌入する弾性変形可能な筒部材であり、固定枠２によって回転規制された状態で進退移動が可能である。この移動枠４の後端外周部に固定枠２の直進溝２ｂに嵌入するガイド突起部４ａが設けられ、さらに、内外周を貫通する溝部として、光軸Ｏ方向に対して傾斜し、かつ、対向する溝面がラジアル方向に傾斜したカム枠用カム溝４ｃおよび直進状の直進溝４ｂ，４ｄと、外周後方部に円周溝４ｅと、外周部に円周方向に沿った第一の溝群４ｆが設けられている。なお、第一の溝群４ｆと回転枠３側の第二の溝群３ｆとは、内外周部にて互いに相対しており、かつ、極めて狭い隙間（遊嵌）をもって配されている。
【００２１】
この移動枠４は、回転枠３の内周部に突部３ｅを円周溝４ｅに嵌入させた状態で係合させることにより回転枠３に対して相対回転が可能で光軸Ｏ方向に一体移動する状態で結合（バヨネット結合）される。
【００２２】
図３に示すように回転枠３の第二の溝群３ｆは、周方向に沿った光軸Ｏ方向の微小ピッチＰ1 を有する縞状の複数の突部３faと溝部３fbからなる溝群であり、突部３faは、先端が尖った形状を有している。一方、移動枠４の第一の溝群４ｆは、周方向に沿った光軸Ｏ方向の微小ピッチＰ2 を有する縞状の複数の突部４faと溝部４fbからなる溝群であり、突部４faは、先端が尖った形状を有している。ピッチＰ1 とＰ2 とは本実施形態の場合、等しいものとするが、異なっていても同様の効果を奏する。
【００２３】
回転枠３と移動枠４とは、通常の動作状態では、上述したよう遊嵌状態にあり、また、突部３faと突部４faとは、図３に示すように径方向に僅かな隙間をもって位置している。しかし、後述するようにレンズ鏡枠１が外力を受けて移動枠４が外周方向に膨らんだ場合（歪んだ場合）、若しくは、回転枠３が径方向に歪んだ場合、第一の溝群４ｆと第二の溝群３ｆとは、図４に示すように互いに噛み合う状態になるか（重畳状態）、あるいは、互いに強く接触する状態になる。
【００２４】
移動枠４は、第一の溝群４ｆと第二の溝群３ｆとが噛み合うことにより回転枠３に対して光軸Ｏ方向の移動が阻止される状態になる。また、上記外力を受けた場合、必ずしも溝群が上述のように噛み合った状態にならなくとも上述した変形により第一の溝群４ｆと第二の溝群３ｆが互いに接触することにより大きな摩擦力が生じて突部３fa，４faの摩滅により衝撃エネルギを吸収し、移動枠４と回転枠３との光軸Ｏ方向の相対移動を阻止する場合もある。これらの突部３fa，４faの摩滅は、レンズ鏡筒１の動作には何らの支障も与えない。
【００２５】
カム枠５は、移動枠４の内周部に嵌合する弾性変形可能な筒状の部材であり、カム枠５の外周後方部にはカムフォロア３１が設けられ、さらに、内周部には光軸Ｏに方向に対して傾斜し、かつ、対向する溝面がラジアル方向に傾斜した二群用カム溝５ａおよび一群用カム溝５ｂと、前端部に円周溝５ｃと設けられている。
【００２６】
このカム枠５は、カムフォロア３１が移動枠４のカム溝４ｃを摺動可能に係合した状態で貫通し、さらに、カムフォロア３１の先端部が回転枠３の直進溝３ｃに嵌入した状態で支持されている。そして、カム枠５は、回転枠３と共に回動し、かつ、移動枠４によって光軸Ｏ方向に相対的に進退駆動される。
【００２７】
直進ガイド枠６は、筒部材であって、後端外周部に移動枠４の直進溝４ｂに嵌入するガイド突起部６ａが設けられ、さらに、内外周を貫通する光軸Ｏ方向に沿った二群用直進溝６ｂと、外周部に光軸Ｏ方向に沿った有底の一群用直進溝６ｃと、前端外周部には突起部６ｄが設けられている。
【００２８】
直進ガイド枠６は、移動枠４の直進溝４ｂにより回転規制された状態でカム枠５の内周部に嵌入する一群枠１２の内周部に嵌入して支持される。そして、カム枠５の円周溝５ｃに突起部６ｄを嵌入させることによりカム枠５に対して相対回転が可能で、かつ、光軸Ｏ方向には一体移動する状態で結合（バヨネット結合）される。
【００２９】
二群枠１１は、筒状部材であって、直進ガイド枠６の内周部に嵌入されて支持される。二群枠１１の前面開口部に二群レンズ２２が保持されており、外周部にはガイド突部１１ａと、該突部から外方に突出し、ラジアル方向にテーパ形状のカムフォロア３３が設けられている。
【００３０】
ガイド突部１１ａは、直進ガイド枠６の直進溝６ｂに嵌入し、カムフォロア３３は、直進溝６ｂを貫通してカム枠５のカム溝５ａに摺動可能に嵌入する。したがって、二群枠１１は、直進ガイド枠６により回転規制された状態でカム枠５によりカムフォロア３３を介して進退駆動される。
【００３１】
一群枠１２は、筒状部材であり、直進ガイド枠６の外周部とカム枠５の内周部に嵌入して支持される。そして、前面開口部にレンズ保持枠２０を介して一群レンズ２１が保持され、さらに、一群レンズ２１の前面を開閉可能なレンズバリア（図示せず）が配されている。この一群枠１２の後端の外周部には突出したカムフォロア３４が配されている。
【００３２】
カムフォロア３４は、直進ガイド枠６の外周に位置してカム枠５のカム溝５ｂに嵌入する。また、一群枠１２の内周部に設けられるガイド突部（図示せず）が直進ガイド枠６の直進溝６ｃに嵌入している。従って、一群枠１２は、直進ガイド枠６により回転規制された状態でカム枠５によりカムフォロア３４を介して進退駆動される。
【００３３】
三群ユニット１５は、三群用直進枠７と、押さえ板部材８と、シャッタ枠９と、該シャッタ枠９の後方側に隣接して配され、三群レンズ２３を保持する三群枠１０と、三群枠用回転駆動部とを有している。
【００３４】
三群用直進枠７は、移動枠４の内方部に挿入される進退可能な枠部材である。この三群用直進枠７には外方３方に延びた腕部に移動枠の三群用直進溝４ｄに嵌入するガイド突部７ａと、該突部外方に突出して配され、回転枠３の三群用カム溝３ｄに係合するカムフォロア３２とが設けられている。
【００３５】
この三群用直進枠７は、移動枠４によって回転規制され、かつ、回転枠３により三群用カム溝３ｄ，カムフォロア３２を介して進退駆動される。このとき、シャッタ枠９、押さえ板部材８、三群枠１０も三群用直進枠７と共に進退駆動される。
【００３６】
シャッタ枠９は、中央開口部を有しており、該開口部を開閉するためのシャッタ羽根と、該シャッタ羽根を開閉駆動するためのシャッタアクチュエータを含むシャッタ機構とを内蔵している。このシャッタ枠９は、三群用直進枠７の前方側に固定支持されており、三群用直進枠７と一体で進退移動する。
【００３７】
押さえ板部材８は、半円環状の部材であり、三群用直進枠７との間に三群枠１０とシャッタ枠９とを組み込んだ状態で該直進枠７の前方側に当て付けた状態でネジにより固着される。
【００３８】
三群枠１０は、三群レンズ２３を保持し、三群用直進枠７内に支持されている。
【００３９】
四群枠１３は、四群レンズ２４を保持し、一端部に軸穴１３ａと他端部にガイド突起部１３ｂを有しており、固定枠２の内部後方に挿入される。軸穴１３ａにはフォーカシングユニット１８に配されるガイド軸（図示せず）が摺動可能に嵌入している。ガイド突起部１３ｂは、固定枠２の直進溝（図示せず）に摺動可能に嵌入している。この四群枠１３は、フォーカシングユニット１８のフォーカシングアクチュエータによりギヤ列，送りネジを介して上記ガイド軸に沿って撮影可能なフォーカシング位置および沈胴位置に光軸Ｏ方向に沿って進退駆動される。
【００４０】
次に、上述した構成を有するレンズ鏡枠１の各鏡枠部材の進退動作について説明する。いま、図２に示すようにレンズ鏡枠１が撮影可能な状態であるワイド状態にあって、回転枠３がワイド回動位置にあるときは、回転枠３のカムフォロア３ａが固定枠２のカム溝２ａの前方側の円周溝部に嵌入し、回転枠３は、移動枠４と共に繰り出されている。カム枠５は、移動枠４のカム溝４ｃにより位置決めされ、回転枠３よりさらに前方に繰り出されている。一群枠１２と二群枠１１もそれぞれカム枠５のカム溝５ｂと５ａによりワイド位置に繰り出されている。
【００４１】
レンズ鏡枠１をテレ状態に繰り出すにはズーミングユニット１７により回転枠３を回転駆動する。この回転駆動によりカム枠５が移動枠４のカム溝４ｃによって回転しながら繰り出され、さらに、一群枠１２と二群枠１１もそれぞれカム枠５のカム溝５ｂと５ａによりテレ位置に繰り出される。
【００４２】
レンズ鏡枠１を沈胴状態にセットダウンする場合、図２のワイド状態からズーミングユニット１７により回転枠３を反時計回りに回転駆動する。この回転駆動により回転枠３は、固定枠２のカム溝２ａにより回転しながら繰り込み方向に移動し、沈胴位置に到達する。回転枠３のワイド回転位置からの回転に伴ってカム枠５を介して一群枠１２および二群枠１１が繰り込み方向に移動する。同時に三群用直進枠７もシャッタ枠９および三群枠１０とともに繰り込み方向に変位し、それぞれの沈胴位置に繰り込まれる。
【００４３】
また、四群枠１３は、フォーカシングユニット１８により上記ワイド状態、または、テレ状態に対応したフォーカシング位置、さらに、沈胴位置にそれぞれ進退駆動される。
【００４４】
さて、レンズ鏡枠１に落下等による衝撃力が作用した場合の挙動について説明する。レンズ鏡枠１の先端の一群枠１２が外部に強く当接した場合、一群枠１２のカムフォロア３４がカム枠５のカム溝５ｂの溝面に当接し、さらに、その当接力は、カム枠５に伝わり、カムフォロア３１が移動枠４のカム溝４ｃに光軸Ｏ方向に当接する。また、カム枠５の先端が外部に強く当接した場合には、直接的にカムフォロア３１が移動枠４のカム溝４ｃの溝面に光軸Ｏ方向に当接する。
【００４５】
一方、レンズ鏡枠１の背面側（結像側）を下にして落下した場合も二群枠１１のカムフォロア３３がカム枠５のカム溝５ａに強く当接し、さらに、その当接力は、カム枠５に伝わり、カムフォロア３１が移動枠４のカム溝４ｃに光軸Ｏ方向に当接する。
【００４６】
上記各当接力は、一旦、移動枠４の円周溝４ｅに嵌入している回転枠３の突部３ｅで受けることになる。そして、カムフォロア３４、３３やカムフォロア３１がテーパ形状を有していることから上記当接力によりカム溝５ｂ，５ａ、または、カム溝４ｃを介してカム枠５、または、移動枠４が外径方向に押圧され、弾性変形して外径方向に膨らむ。なお、カム枠５の変形は、移動枠４側に伝わり同様に移動枠４を外径方向に膨らませる。
【００４７】
移動枠４が上述したように膨らんだ場合、外周に設けられた第一の溝群４ｆの一部が回転枠３の内周に設けられた第二の溝群３ｆに噛み合うか、あるいは、強く接触する状態となる。即ち、互いに干渉する状態となる。上記噛み合い、または、接触により移動枠４のさらなる回転枠３に対する光軸Ｏ方向の移動（ズレ）が阻止される。このように移動枠４の光軸Ｏ方向への移動（ズレ）が阻止された場合、上述した突部３ｅが受ける上記当接力がさらに増えることがない。従って、移動枠４の円周溝４ｅに嵌入している回転枠３の突部３ｅの外れが防止され、さらに、突部３ｅの破損も防止される。
【００４８】
上述したように本実施形態のレンズ鏡枠１によれば、一群枠１２やカム枠５に衝撃力などの大きな外力が作用した場合、あるいは、落下等により二群枠１１に衝撃力が作用した場合に移動枠４と回転枠３とに設けられた第一の溝群４ｆと第二の溝群３ｆとが噛み合うか、あるいは、強く接触する状態となり、移動枠４の回転枠３に対する光軸Ｏ方向の移動（ズレ）が阻止される。このことにより移動枠４に対してバヨネット結合されている回転枠３の突部３ｅに作用する光軸Ｏ方向の当接力（剪断力）の増加が抑えられ、突部３ｅが移動枠４の溝部４ｅから外れるとか、突部３ｅが破損するといった不具合が防止できる。言い換えれば、突部３ｅの係り量を減らしたり、あるいは、突部３ｅの光軸Ｏ方向に沿った断面積を小さくすることができる。結果的には回転枠３、および、移動枠４の光軸Ｏ方向の長さおよび外径寸法を減らすことが可能となり、レンズ鏡枠１の薄型化が実現できる。
【００４９】
なお、上述した実施形態では移動枠４と回転枠３とに設けられる第一の溝群４ｆと第二の溝群３ｆとは、光軸Ｏ周りの周方向に沿って設けられた光軸方向のピッチが等しい、あるいは、ピッチの異なる溝群であったが、これに限らず、光軸Ｏに対して所定のリード角を持った溝群で形成してもよく、さらには、アヤメ状の溝群であっても同様の効果を奏することができる。
【００５０】
また、上述した実施形態では移動枠４と回転枠３とがバヨネット結合される一対の枠部材であったが、これに限らず、上記一対の枠部材がカムフォロアとカム溝で結合されたものであっても該一対の枠部材にそれぞれ上記第一の溝群４ｆと第二の溝群３ｆと同様の溝群を配することによって上記カムフォロアとカム溝の結合部の外れ、または、破損を防止することが可能である。
【００５１】
さらに、上述した実施形態ではレンズ鏡枠１が外力を受けた場合、第一の枠部材である移動枠４側が膨らむように変形する構造であったが、逆に外力を受けたとき、第二の枠部材側が内側に凹むような構造を有しているレンズ鏡枠に対しても同様に第一の枠部材と第二の枠部材とに上記第一の溝群と第二の溝群とを設けることにより、上記外力を受けたときの第一の枠部材と第二の枠部材との光軸方向のズレを防止することが可能である。
【００５２】
この発明は、上記各実施の形態に限ることなく、その他、実施段階ではその要旨を逸脱しない範囲で種々の変形を実施し得ることが可能である。さらに、上記各実施形態には、種々の段階の発明が含まれており、開示される複数の構成要件における適宜な組合せにより種々の発明が抽出され得る。
【産業上の利用可能性】
【００５３】
本発明のレンズ鏡枠は、耐衝撃性が改善されたレンズ鏡枠として利用可能である。
【図面の簡単な説明】
【００５４】
【図１】本発明の一実施形態のレンズ鏡枠の分解斜視図である。
【図２】図１のレンズ鏡枠の撮影状態（ワイド状態）における光軸に沿った要部断面図である。
【図３】図１のレンズ鏡枠の回転枠と移動枠の嵌合部分（第一，二の溝群部まわりを含む）の光軸に沿った拡大断面図であって、通常動作状態を示す。
【図４】図１のレンズ鏡枠の回転枠と移動枠の嵌合部分（第一，二の溝群部まわりを含む）の光軸に沿った拡大断面図であって、上記レンズ鏡枠が光軸前方からの衝撃力を受け、移動枠側が変形したときの状態を示す。
【符号の説明】
【００５５】
３  …回転枠（第二の枠部材）
３ｆ…第二の溝群
３fb…溝部（第二の溝群の溝部）
３fa…突部（第二の溝群の突部）
４  …移動枠（第一の枠部材）
４ｆ…第一の溝群
４fb…溝部（第一の溝群の溝部）
４fa…突部（第一の溝群の突部）
【図１】
2009048117.tif 000003
【図２】
2009048117.tif 000004
【図３】
2009048117.tif 000005
【図４】
2009048117.tif 000006